(57)【特許請求の範囲】
【請求項１】
トレッド部外表面に、タイヤ赤道Ｓに対して45〜90度の範囲内の傾斜角Ａで傾斜した傾斜部を有する溝が複数形成され、回転方向が指定された後輪用の二輪車用空気入りタイヤにおいて、前記各溝の傾斜部に対して周方向断面をとったとき、前記周方向断面上における傾斜部を全体として最深点Ｄから開口端Ｋに向かって回転方向前方に傾斜させるとともに、各溝の傾斜部の両溝壁面を互いに平行に延在させたことを特徴とする二輪車用空気入りタイヤ。
【請求項２】
トレッド部外表面に、タイヤ赤道Ｓに対して45〜90度の範囲内の傾斜角Ａで傾斜した傾斜部を有する溝が複数形成され、回転方向が指定された前輪用の二輪車用空気入りタイヤにおいて、前記各溝の傾斜部に対して周方向断面をとったとき、前記周方向断面上における傾斜部を全体として最深点Ｄから開口端Ｋに向かって回転方向後方に傾斜させるとともに、各溝の傾斜部の両溝壁面を互いに平行に延在させたことを特徴とする二輪車用空気入りタイヤ。
【請求項３】
前記傾斜部をトレッド端部に配置した請求項１または２記載の二輪車用空気入りタイヤ。
【請求項４】
前記傾斜部の最深点Ｄと開口端Ｋとを結ぶ直線Ｌと、前記傾斜部の開口端Ｋに立てた法線Ｈとの間の交差角Ｂを 5〜40度の範囲内とした請求項１〜３のいずれかに記載の二輪車用空気入りタイヤ。
【請求項５】
前記溝の溝幅Ｗを 0.3〜10.0mmの範囲内とした請求項１〜４のいずれかに記載の二輪車用空気入りタイヤ。
【発明の詳細な説明】
【技術分野】
【０００１】
この発明は、駆動性能または制動性能を向上させることができる回転方向が規定された二輪車用空気入りタイヤに関する。       
【背景技術】
【０００２】
従来、駆動性能を旋回性能と共に向上させることができる回転方向が規定された二輪車用空気入りタイヤとしては、例えば以下の特許文献１に記載されているようなものが知られている。
【特許文献１】特開２００３−１４６０１７号公報
【０００３】
このものは、トレッド部に、タイヤ周方向線に対して傾斜する傾斜縦溝と、タイヤ軸方向線に対して傾斜する傾斜横溝とによって区分されかつタイヤ周方向に配列する複数のブロックからなるブロック列を含み、前記傾斜縦溝は、タイヤ周方向線に対してタイヤ回転方向に対して拡がる向きに１０゜より大かつ４５゜より小の角度αで傾斜するとともに、前記傾斜横溝は、タイヤ軸方向線に対してタイヤ軸方向外側がタイヤ回転方向となる向きに１０゜より大かつ４５゜より小度の角度βで傾斜し、しかも前記角度の和α＋βを２０゜より大かつ５５゜より小としたものである。
【０００４】
ここで、二輪車はエンジンからの回転駆動力が後輪にのみ伝達されるため、後輪に装着されるタイヤは駆動性能が重要となるが、前述のようなタイヤを二輪車の後輪に装着して駆動走行した場合、各ブロックに該ブロックの隣接する２つのブロック壁にそれぞれ作用する駆動力、旋回力の分力が合計されて付与されるため、駆動性能、旋回性能が共に向上し、後輪に好適である。
【発明の開示】
【発明が解決しようとする課題】
【０００５】
しかしながら、このような従来の二輪車用空気入りタイヤは、ある程度駆動性能を向上させることができるものの、最近の性能が格段に向上した一般道を走行する二輪車あるいはレーシング用の二輪車に装着した場合には、駆動性能が不足してしまうという課題があった。しかも、トレッド部に縦溝と横溝の双方が形成されたブロックタイプでなければならず、適用範囲が狭いという課題もあった。
【課題を解決するための手段】
【０００６】
このため、本発明者は、トレッド部外表面に、縦溝が形成されていなくても、タイヤ赤道Ｓに対して45〜90度の範囲内の傾斜角で傾斜した傾斜部を有する溝が複数形成されていれば充分である適用範囲の広い後輪用の二輪車用空気入りタイヤにおいて、傾斜部が設けられている部位のトレッドゴムの加速走行時における挙動を鋭意研究し、以下のような知見を得た。
【０００７】
即ち、加速走行時の接地領域における陸部で、路面に接触している部位には回転方向後方に向かう周方向のせん断変形が、一方、トレッド部の内部骨格部材であるベルト層に接触している部位には回転方向前方にずれる周方向のせん断変形が作用するが、前述のようにタイヤ赤道Ｓに対して45〜90度の範囲内の傾斜角で傾斜した傾斜部を有する溝がトレッド部に複数形成されていると、前述したせん断変形により溝の傾斜部間における陸部全体が溝底を基端として回転方向方向後方に向かって倒れ込む。
【０００８】
このように後輪の加速走行時に、傾斜部（溝）間における陸部全体が回転方向方向後方に向かって倒れ込むと、陸部と路面との接地面積が減少して駆動時のグリップ力が低下し、これにより、駆動性能が低下するとともに、接地圧が不均一となって偏摩耗が発生することがあった。このため、本発明者は、さらに研究を重ね、前述のような倒れ込みに対して強力に抵抗するには、傾斜部（溝）全体を前記倒れ込み方向と逆方向に傾斜させればよいことを知見した。
【０００９】
請求項１に係る発明は、前述のような知見に基づきなされたもので、トレッド部外表面に、タイヤ赤道Ｓに対して45〜90度の範囲内の傾斜角Ａで傾斜した傾斜部を有する溝が複数形成され、回転方向が指定された後輪用の二輪車用空気入りタイヤにおいて、前記各溝の傾斜部に対して周方向断面をとったとき、前記周方向断面上における傾斜部を全体として最深点Ｄから開口端Ｋに向かって回転方向前方に傾斜させるとともに、各溝の傾斜部の両溝壁面を互いに平行に延在させた二輪車用空気入りタイヤである。
【００１０】
一方、二輪車の前輪は制動時に、前輪が沈み込むよう車体が傾斜（ピッチング）するため、荷重が増大して制動を主に担当することになるが、このような前輪用タイヤにおけるトレッドゴムの挙動に対しても同様に鋭意研究を行い、以下のような知見を得た。即ち、制動時の接地領域における溝（傾斜部）間の陸部は、前述と逆方向にせん断変形するため、全体が溝底を基端として回転方向前方に向かって倒れ込む。このため、大きな制動力を受ける前輪用タイヤにおいて、陸部の倒れ込みに対し強力に抵抗するには、同様に傾斜部（溝）全体を前記倒れ込み方向と逆方向に傾斜させればよいのである。
【００１１】
請求項２に係る発明は、前述のような知見に基づいてなされたもので、トレッド部外表面に、タイヤ赤道Ｓに対して45〜90度の範囲内の傾斜角Ａで傾斜した傾斜部を有する溝が複数形成され、回転方向が指定された前輪用の二輪車用空気入りタイヤにおいて、前記各溝の傾斜部に対して周方向断面をとったとき、前記周方向断面上における傾斜部を全体として最深点Ｄから開口端Ｋに向かって回転方向後方に傾斜させるとともに、各溝の傾斜部の両溝壁面を互いに平行に延在させた二輪車用空気入りタイヤである。
【発明の効果】
【００１２】
請求項１に係る発明においては、周方向断面上における溝の傾斜部を全体として最深点Ｄから開口端Ｋに向かって回転方向前方に傾斜させたので、加速走行時に、傾斜部（溝）間における陸部全体が回転方向後方に向かって倒れ込もうとしても、各陸部の回転方向後端に形成された略三角形状の突っ張り部が強力に抵抗し、各陸部における倒れ込みが効果的に抑制される。この結果、陸部と路面との接地面積が増大して駆動時のグリップ力が向上し、これにより、駆動性能が向上するとともに、接地圧が均一化して偏摩耗の発生も抑制される。しかも、このタイヤにおいては、略周方向に延びる縦溝は必須要件ではないので、適用範囲は広い。
【００１３】
また、請求項２に係る発明においては、周方向断面上における傾斜部を全体として最深点Ｄから開口端Ｋに向かって回転方向後方に傾斜させたので、制動時に、傾斜部（溝）間における陸部全体が回転方向前方に向かって倒れ込もうとしても、各陸部の回転方向前端に形成された略三角形状の突っ張り部が強力に抵抗し、各陸部における倒れ込みが効果的に抑制される。この結果、同様に制動性能が向上し、偏摩耗の発生も抑制される。しかも、このタイヤにおいても、縦溝は必須要件ではないので、適用範囲は広い。
【００１４】
さらに、二輪車用空気入りタイヤは旋回時に車体が大きく倒れるため、トレッド端部のみが接地するとともに、このトレッド端部に大きな横力が作用するが、請求項３に記載のように、トレッド端部に配置されている傾斜部がタイヤ赤道Ｓに対して45〜90度の範囲内の傾斜角Ａで傾斜している溝であると、トレッド端部に位置する陸部がほぼタイヤ幅方向に延在することとなって、前述のような横力に強力に抵抗し、その倒れ込みが効果的に抑制される。
【００１５】
これにより、接地面積が増大してタイヤの旋回性能が効果的に向上するとともに、偏摩耗が効果的に抑制される。特に、旋回しながら加速を行う場合には、横力、駆動力の双方がタイヤのトレッド端部に作用するが、請求項１に従属している請求項３に係る発明では、旋回性能、駆動性能の双方を向上させることができるため、前述の場合に充分なグリップ力を確保することができ、一方、旋回しながら減速を行う場合には、横力、制動力の双方がタイヤのトレッド端部に作用するが、請求項２に従属している請求項３に係る発明では、旋回性能、制動性能の双方を向上させることができるため、前述の場合に充分なグリップ力を確保することができる。
【００１６】
また、請求項４に記載のように構成すれば、駆動、制動性能を充分としながら、加硫成形を容易とするとともに、偏摩耗を効果的に抑制することができる。
【００１７】
さらに、請求項５に記載のように構成すれば、加硫成形が容易で、かつ、排水性能を確保しながら、ネガティブ比を適切な値に抑えることができる。
【発明を実施するための最良の形態】
【００１８】
以下、この発明の実施形態１を図面に基づいて説明する。
図１、２において、11は高速走行に適する回転方向が指定された後輪用の二輪車用空気入りタイヤであり、このタイヤ11は子午線断面が略弧状を呈しながら半径方向外側に向かって凸状に滑らかに湾曲するトレッド部13と、このトレッド部13の幅方向両端からほぼ半径方向内側に向かって延びる一対のサイドウォール部14と、これらサイドウォール部14の半径方向内側端に連続しビードコア16がそれぞれ埋設された一対のビード部15とを備え、トレッド端Ｅ間の幅がタイヤ最大幅となるよう成形されている。
【００１９】
また、前記タイヤ11は一対のビードコア16間をトロイダル状に延びてサイドウォール部14、トレッド部13を補強するカーカス層20を有し、このカーカス層20の両端部は前記ビードコア16の回りを内側から外側に向かって折り返されることで、これらビードコア16に係止されている。前記カーカス層20は少なくとも１枚、ここでは２枚のカーカスプライ21から構成され、これらのカーカスプライ21の内部にはタイヤ赤道Ｓに対して80度のコード角で交差する補強コードが多数本埋設されている。
【００２０】
そして、これらの補強コードは２枚のカーカスプライ21においてタイヤ赤道Ｓに対し逆方向に傾斜し、互いに交差している。なお、前述の補強コードはタイヤ赤道Ｓに対して70度以上のコード角、例えば90度で実質上ラジアル方向（子午線方向）に延びていてもよい。また、ここでは、前記補強コードとしてナイロンを用いているが、レーヨン、ポリエステル等の有機繊維を用いてもよい。
【００２１】
24はカーカス層20の半径方向外側に配置され、トレッド部13の幅とほぼ等しいベルト層であり、このベルト層24は少なくとも１枚、ここでは１枚の周方向プライ25から構成されている。各周方向プライ25は１本または複数本の補強素子を被覆ゴム中に埋設したストリップをタイヤ赤道Ｓにほぼ沿って螺旋状に多数回巻回することで構成されており、この結果、該周方向プライ25内に埋設されている補強素子はタイヤ赤道Ｓに実質上平行に延びることとなって、強力なたが効果を発揮する。これにより、高速走行時の遠心力によるトレッド部13の径成長および接地形状の変化が強力に抑制され、直進走行時の操縦安定性および高速耐久性が向上する。
【００２２】
ここで、前述のようにストリップを螺旋状に多数回巻回することで周方向プライ25を構成するようにすれば、周方向プライ25を簡単かつ安価に製造することができる。また、前述の補強素子としては、ナイロン、レーヨン、ポリエステル、芳香族ポリアミド等の有機繊維またはスチールを用いることができるが、高温時においても殆ど伸張することのない非伸張性材料、例えば芳香族ポリアミド、スチールを用いるようにすれば、ベルト層24のたが効果を効果的に向上させることができる。
【００２３】
26は前記ベルト層24の半径方向外側に配置されたトレッドゴムであり、このトレッドゴム26（トレッド部13）の外表面で、そのトレッド中央部27には周方向に連続して延びる複数本、ここでは４本の広幅である主溝28が形成されている。このように直進走行時に接地するトレッド中央部27に、周方向に延びる複数本の主溝28が形成されていると、これら主溝28間には周方向に延びるリブ（陸部）33が画成されるが、このようなリブ33は前述のように周方向に延びているので、駆動力に強力に抵抗し、直進時において高い駆動性能を発揮する。
【００２４】
一方、前記トレッドゴム26（トレッド部13）の外表面で、そのトレッド両端部29には周方向に等距離離れた複数の互いに平行な溝30、31がそれぞれ形成され、これら溝30、31は、開口端Ｋがタイヤ赤道Ｓに対して45〜90度の範囲内、ここでは60度の傾斜角Ａで傾斜した傾斜部32を有している。なお、これら溝30、31（傾斜部32）の傾斜方向はタイヤ赤道Ｓの両側で逆方向である。
【００２５】
ここで、この実施形態では、溝30、31は開口端Ｋの全範囲が前述した傾斜部32から構成されているが、その一部が前述した角度範囲の傾斜部から構成され、残りの部位がタイヤ赤道Ｓに対して45度未満の傾斜角で傾斜しているものであってもよい。そして、このようなタイヤ11を二輪車に装着して旋回走行を行うと、車体が大きく倒れるため、トレッド端部29のみが接地するとともに、このトレッド端部29に大きな横力が作用する。
【００２６】
しかしながら、前述のように、このトレッド端部29に配置されている溝が、前述のようにタイヤ赤道Ｓに対して45〜90度の範囲内の傾斜角Ａで傾斜している溝30、31（傾斜部32）であると、前記溝30、31により画成されたトレッド端部29に位置する陸部35がほぼタイヤ幅方向に延在することとなって、前述のような横力に強力に抵抗し、陸部35の幅方向への倒れ込みを効果的に抑制する。これにより、接地面積が増大してタイヤ11の旋回性能が効果的に向上するとともに、偏摩耗が効果的に抑制される。
【００２７】
また、この実施形態では、タイヤ11の中心軸に直交する平面で前記溝30、31の傾斜部32を通るタイヤ11の周方向断面をとったとき、この周方向断面上における溝30、31の傾斜部32、詳しくは幅方向中央線を、図３、４に示すように、全体として最深点Ｄから開口端Ｋに向かって回転方向（図２、３において矢印Ｃ方向）前方に傾斜している。
【００２８】
このため、後輪に装着されているタイヤ11に駆動力を付与して加速走行させると、傾斜部32（溝30、31）間における陸部35全体が、前記駆動力に基づくせん断変形により、最深点Ｄを基端として回転方向後方に向かって倒れ込もうとするが、このような倒れ込みに対して各陸部35の回転方向後端に前記傾斜によって形成された略三角形状の突っ張り部36が強力に抵抗し、各陸部35における倒れ込みが効果的に抑制される。
【００２９】
この結果、陸部35と路面Ｒとの接地面積が増大して駆動時のグリップ力が向上し、これにより、駆動性能が向上するとともに、接地圧が均一化して偏摩耗の発生も抑制される。しかも、このタイヤ11においては、略周方向に延びる縦溝は必須要件ではないので、適用範囲は広い。また、このようなタイヤ11によって旋回しながら加速を行う場合には、車体が大きく倒れ込んでいるので、横力、駆動力の双方がタイヤ11のトレッド端部29に作用するが、前述のようにトレッド端部29に設けられている溝30、31（傾斜部32）の周方向断面上での傾斜方向が前述のように回転方向前方であると、旋回性能、駆動性能の双方が向上して、充分なグリップ力を確保することができる。
【００３０】
ここで、前記傾斜部32（溝30、31）の最深点Ｄの幅方向中央と開口端Ｋの幅方向中央とを結ぶ直線をＬとし、前記傾斜部32（溝30、31）の開口端Ｋの幅方向中央に立てた法線をＨとしたとき、直線Ｌと法線Ｈとの間の交差角Ｂを 5〜40度の範囲内とすることが好ましい。
【００３１】
その理由は、前記交差角Ｂが 5度未満であると、陸部35の回転方向後方への倒れ込みを充分に抑制できないため、駆動性能をあまり向上させることができず、一方、40度を超えると、溝30、31の傾斜部32を加硫成形するために加硫モールドに設けられた主骨、ブレードが大きく傾斜して抜き出し作業が困難となるとともに、車体重量により陸部35が容易に倒れ込んで接地圧が不均一となり、偏摩耗が生じるおそれがあるが、交差角Ｂを前述の範囲内とすれば、駆動性能を充分としながら、加硫成形を容易とするとともに、偏摩耗を効果的に抑制することができる。
【００３２】
また、前述した溝30、31（傾斜部32）の両溝壁面は互いに平行に延在している。さらに、前述した溝30、31（傾斜部32）の溝幅Ｗは 0.3〜10.0mmの範囲内とすることが好ましい。その理由は、溝幅Ｗが 0.3mm未満であると、溝30、31の傾斜部32を加硫成形するために加硫モールドに設けられたブレードが薄くなって折れ易くなり、溝30、31の加硫成形が困難となるとともに、水の逃げ場所としてあまり機能しなくなって排水性能が低下し、一方、10.0mmを超えると、トレッド部13外表面における溝30、31の占有面積が広くなり過ぎてネガティブ比が大きな値となってしまうが、溝幅Ｗを前述の範囲内とすれば、加硫成形が容易で、かつ、排水性能を確保しながら、ネガティブ比を適切な値に抑えることができる。
【００３３】
さらに、前述した溝30、31（傾斜部32）を、溝幅Ｗがいずれの深さ位置においても実質上同一値であるサイプから構成することが好ましい。その理由は、サイプであると、隣接する陸部35同士が干渉して駆動時における陸部35の倒れ込みが抑制され、駆動性能をさらに向上させることができるとともに、排水性能を効果的に向上させることができるからである。
【００３４】
そして、前述のように溝30、31がサイプから構成されているとき、図３、４に示すように、傾斜部32の周方向断面形状を最深点Ｄから開口端Ｋに向かって直線状に延在させながら回転方向前方に傾斜させるようにすれば、溝30、31の傾斜部32を加硫成形するために加硫モールドに設けられたブレードの構造を簡単とすることができ、これにより、傾斜部32の成形が簡単となるとともに精度も向上する。
【００３５】
また、前述した溝30、31がサイプであるとき、傾斜部32の周方向断面形状を全体が直線状ではなく、例えば、図５に示すように、最深点Ｄから開口端Ｋに向かって途中まで開口端Ｋに立てた法線Ｈに沿って直線状に延在させ、その後、回転方向前方に傾斜させながら直線状に延在させ、これにより、最深点Ｄから開口端Ｋに至る途中の少なくとも一箇所、ここでは一箇所で屈曲させるようにしてもよい。
【００３６】
このようにすれば、陸部35が回転方向後方に倒れ込もうとしたとき、隣接する陸部35の回転方向前、後面同士が噛み合うように接触して、該陸部35の倒れ込みを強力に抑制することができる。このように溝30、31の傾斜部32、詳しくはその幅方向中央線は、全体として最深点Ｄから開口端Ｋに向かって回転方向前方に傾斜していればよいのである。
【００３７】
図６、７は、この発明の実施形態２を示す図である。この実施形態のタイヤ11は回転方向が指定された前輪用の二輪車用空気入りタイヤであり、ベルト層24を少なくとも２枚、ここでは２枚の傾斜プライ40、41とから構成している。前記傾斜プライ40、41の内部にはタイヤ赤道Ｓに対して所定角度で傾斜した互いに平行に延びる多数本の補強コードがそれぞれ埋設され、これらの補強コードは前記２枚の傾斜プライ40、41においてタイヤ赤道Ｓに対し逆方向に傾斜し、互いに交差している。
【００３８】
ここで、前記補強コードとしては、ナイロン、レーヨン、ポリエステル、芳香族ポリアミド等の有機繊維またはスチールが用いられる。なお、実施形態１、２ではベルト層24を、前述のように１枚の周方向プライ25あるいは２枚の傾斜プライ40、41から構成したが、２枚以上の周方向プライ、または、３枚以上の傾斜プライ、あるいは、１枚以上の周方向プライと１枚以上の傾斜プライとを積層することで構成するようにしてもよい。
【００３９】
また、この実施形態においては、トレッドゴム26（トレッド部13）の外表面に周方向に等距離離れた互いに平行な複数の溝44、ここではサイプが形成され、各溝44は、トレッド中央部27に位置し、回転方向前方に向かって山形（逆Ｖ字形）に屈曲した山形部45と、トレッド両端部29に位置するとともに、山形部45の幅方向両端にそれぞれ連続し、タイヤ赤道Ｓに対して45〜90度の範囲内、ここでは90度の傾斜角Ａで傾斜した傾斜部46とから構成されている。
【００４０】
そして、これら傾斜部46、詳しくは幅方向中央線は、図８に示すように、周方向断面上において直線状に延在しながら最深点Ｄから開口端Ｋに向かって回転方向後方に傾斜している。ここで、二輪車の前輪に装着されたタイヤ11は、制動時に前輪が沈み込むよう車体が傾斜（ピッチング）するため、接地領域における傾斜部46間の陸部47全体が回転方向前方に向かって倒れ込もうとするが、各陸部47の回転方向前端に形成された略三角形状の突っ張り部48が強力に抵抗し、各陸部47における倒れ込みが効果的に抑制され、この結果、制動性能が向上するとともに、偏摩耗の発生も抑制される。しかも、このタイヤにおいても、縦溝は必須要件ではないので、適用範囲は広い。
【００４１】
一方、前記タイヤ11によって旋回しながら減速を行う場合には、車体が大きく倒れ込んでいるので、横力、制動力の双方がタイヤ11のトレッド端部29に作用するが、傾斜部46がタイヤ赤道Ｓに対して45〜90度の範囲内の傾斜角Ａで傾斜し、傾斜部46間の陸部47がほぼタイヤ幅方向に延在しているため、前述のような横力に強力に抵抗し、しかも、傾斜部46が最深点Ｄから開口端Ｋに向かって回転方向後方に傾斜することで、傾斜部46間に位置する陸部47の回転方向前端に形成された略三角形状の突っ張り部48が強力に抵抗するため、旋回性能、制動性能の双方を向上させることができ、前述のような場合に充分なグリップ力を確保することができる。さらに、前述した溝44（傾斜部46）の両溝壁面は互いに平行に延在している。
【００４２】
また、前述した溝44がサイプであるとき、傾斜部46の周方向断面形状を、図８のような直線状ではなく、例えば、図９に示すように、最深点Ｄから開口端Ｋに向かって途中まで開口端Ｋに立てた法線Ｈに沿って直線状に延在させ、その後、回転方向後方に傾斜させながら開口端Ｋまで直線状に延在させたり、または、図１０に示すように、回転方向後方に向かって凸状となった単一曲率半径の円弧状で、開口端Ｋにおいて法線Ｈに平行に延びるものであってもよい。
【００４３】
あるいは、傾斜部46の周方向断面形状を、図１１に示すように、最深点Ｄから開口端Ｋに向かって法線Ｈに沿って直線状に延在させた後、回転方向後方に傾斜させながら直線状に延在させたくの字形の屈曲部を、開口端Ｋに向かって２回半繰り返し、開口端Ｋの直前では法線Ｈに沿って直線状に延在させるようにしてもよく、このように４箇所で屈曲した波形とすれば、陸部47が倒れ込もうとしたとき、隣接する陸部47の回転方向前、後面同士が噛み合うように接触して、該陸部47の倒れ込みを強力に抑制することができる。このように溝44の傾斜部46は、全体として最深点Ｄから開口端Ｋに向かって回転方向後方に傾斜していればよいのである。なお、他の構成、作用は前記実施形態１と同様である。
【実施例１】
【００４４】
次に、試験例１について説明する。この試験に当たっては、周方向断面上で傾斜部全体が開口端Ｋに立てた法線Ｈに平行に延びている深さ 6mmの従来タイヤ１と、周方向断面上で傾斜部全体が法線Ｈに対し開口端Ｋに向かって回転方向前方に30度の傾斜角Ｂで傾斜した深さが 6mmの図３に示すような実施タイヤ１と、周方向断面上で傾斜部が最深点Ｄから開口端Ｋに向かって法線Ｈに平行に 3mmだけ直線状に延びた後、回転方向前方に傾斜しながら直線状に延びることで 2mmだけ回転方向前方にずれながら開口端Ｋに至る全体深さが 6mmの図５に示すような実施タイヤ２と、周方向断面上での傾斜部全体が実施タイヤ１と逆方向（開口端Ｋに向かって回転方向後方）に30度の傾斜角で傾斜した深さが 6mmの比較タイヤ１とを準備した。
【００４５】
ここで、各タイヤのサイズは190/50ＺＲ17であり、各タイヤのカーカス層をタイヤ赤道Ｓに対して80度で交差するナイロン製補強コードが埋設された２枚のカーカスプライから構成している。一方、ベルト層は１枚の周方向プライから構成したが、該周方向プライは直径が 0.3mmのスチールフィラメントを２本撚り合わせた補強素子を被覆ゴム中に埋設したストリップをタイヤ赤道Ｓにほぼ沿ってスパイラル状に巻回することで成形した。ここで、この周方向プライにおける補強素子の打ち込み密度は70本／50mmであった。
【００４６】
また、トレッドゴムの厚さは一方のトレッド端Ｅから他方のトレッド端Ｅまで一律の 8mmで、トレッド幅（トレッド端Ｅ間距離）はトレッド外表面に沿って 240mmであった。さらに、トレッド中央部に形成された４本の主溝およびトレッド両端部に形成された複数の溝は形状（トレッドパターン）が図２に示すように同一で、深さが一律 6mmであり、トレッド両端部の溝のトレッド外表面に沿った幅方向長さはそれぞれ65mm、タイヤ赤道Ｓに対する傾斜角Ａは60度であった。また、前記トレッド両端部の溝の溝幅Ｗは 1.5mm、溝間の陸部の幅はトレッド端Ｅにおいて 6mmであった。
【００４７】
次に、前記各タイヤに 250ｋPaの内圧を充填した後、排気量が 1000cm3(cc)であるスポーツタイプの二輪車に装着したが、ここで、前記各タイヤは後輪用のタイヤであるため、二輪車の後輪用タイヤのみ交換し、前輪用タイヤについては従来タイヤ１を使用した。次に、このような二輪車を用いて小雨の日にテストコース（終日安定した雨量であり、湿潤状態はほぼ均一）を限界に近い状態で４周だけ実車走行させて各周のラップタイムを測定した後、４周の平均ラップタイムを求めた。その結果は、従来タイヤ１、実施タイヤ１、２、比較タイヤ１ではそれぞれ 52.7秒、 51.8秒、 51.7秒、 53.5秒であり、実施タイヤではウエット性能が向上していた。
【００４８】
また、各タイヤの湿潤路面での操縦安定性を熟練したテストドライバーによって総合評価してもらった。その結果は、満点を１０点とすると、従来タイヤ１、実施タイヤ１、２、比較タイヤ１ではそれぞれ６点、８点、８点、５点であった。ここで、トレッド中央部のトレッドパターンは各タイヤとも同一であるため、前述の差はトレッド両端部における溝（傾斜部）の傾斜に起因するものと考えられる。
【００４９】
そして、ドライバーからは、従来タイヤ１は、大きく車体の倒したコーナーからの立ち上がりで、アクセルを開けたときのグリップレベルが低いと、また、実施タイヤ１、２は、いずれも大きく車体を倒したコーナーからの立ち上がりで、アクセルを開けたときのグリップレベルが向上した。トラクションが良く掛かると、比較タイヤ１は、倒し込んだときのブレーキが少し良くなった気がするが、それよりも大きく車体を倒したコーナーからの立ち上がりで、アクセルを開けたときのグリップレベルの低下が大きい。トラクションを掛けたときにタイヤが滑って空転するとのコメントがあった。
【実施例２】
【００５０】
次に、試験例２について説明する。この試験に当たっては、周方向断面上で傾斜部全体が開口端Ｋに立てた法線Ｈに平行に延びている深さ 6mmの従来タイヤ２と、周方向断面上で傾斜部全体が法線Ｈに対し開口端Ｋに向かって回転方向後方に25度の傾斜角Ｂで傾斜した深さが 6mmの図８に示すような実施タイヤ３と、周方向断面上で傾斜部が最深点Ｄから開口端Ｋに向かって法線Ｈに平行に 3mmだけ延びた後、回転方向後方に傾斜しながら延びることで 2mmだけ回転方向後方にずれながら開口端Ｋに至る全体深さが 6mmの図９に示すような実施タイヤ４と、周方向断面上で傾斜部が回転方向後方に向かって凸状となった単一曲率半径の円弧状を呈するとともに、開口端Ｋにおいて法線Ｈに平行に延び、深さが 6mmで開口端Ｋが最深点Ｄから回転方向後方に 2mmだけずれた図１０に示すような実施タイヤ５とを準備した。
【００５１】
さらに、この試験に当たっては、前述のタイヤに加え、周方向断面上で傾斜部が最深点Ｄから開口端Ｋに向かって法線Ｈに沿って直線状に 1.2mmだけ延びた後、回転方向後方に傾斜しながら直線状に延在することで、 1.0mmだけ回転方向後方にずれるとともに、 1.2mmだけ開口端Ｋ側に接近するくの字形の屈曲部を、開口端Ｋに向かって２回半繰り返し、深さが 6mmで開口端Ｋが最深点Ｄから回転方向後方に 2mmだけずれた図１１に示すような実施タイヤ６と、周方向断面上での傾斜部全体が実施タイヤ３と逆方向（回転方向前方）に25度の傾斜角で傾斜した深さが 6mmの比較タイヤ２とを準備した。
【００５２】
ここで、各タイヤのサイズは120/60Ｒ17であり、各タイヤのカーカス層をタイヤ赤道Ｓに対して80度で交差するナイロン製補強コードが埋設された２枚のカーカスプライから構成している。一方、ベルト層は２層の傾斜プライから構成したが、各傾斜プライ内には芳香族ポリアミドのフィラメントを撚り合わせた直径が 0.7mmの補強コードをそれぞれタイヤ赤道Ｓに対して逆方向に傾斜させながら埋設した。ここで、前記内側傾斜プライ内の補強コードはタイヤ赤道Ｓに対し左上がり33度で、外側傾斜プライ内の補強コードはタイヤ赤道Ｓに対して右上り33度で傾斜させた。また、これら傾斜プライにおける補強コードの打ち込み密度は50本／50mmであった。
【００５３】
また、トレッドゴムの厚さは一方のトレッド端Ｅから他方のトレッド端Ｅまで一律の 8mmで、トレッド幅（トレッド端Ｅ間距離）はトレッド外表面に沿って 150mmであった。さらに、各タイヤのトレッドパターンは図７に示した同一形状で、トレッド中央部の山形部と、トレッド両端部の傾斜部とからなる溝を周方向に等距離離して複数配置したものである。ここで、前記溝は深さが一律 6mm、山形部のタイヤ赤道Ｓに対する傾斜角Ａは45度であり、一方、傾斜部のタイヤ赤道Ｓに対する傾斜角Ａは90度であり、タイヤ外表面に沿った傾斜部の幅方向長さはいずれも40mmであった。また、前記溝の溝幅Ｗは 0.7mm、溝間の陸部の幅はトレッド端Ｅにおいて10mmであった。
【００５４】
次に、前記各タイヤに 250ｋPaの内圧を充填した後、フラットベルト試験機のドライ走行面にキャンバー角40度、荷重 1.5ｋＮで押付けながら時速50ｋｍで走行させるとともに、制動方向のスリップ率を０％から30％まで徐々に増加させながら前後力Fxと横力Fyとを測定した。その結果を図１２に横軸に前後力Fxをとり、縦軸に横力Fyをとって示す。
【００５５】
同図において、横軸の前後力Fxが０である点がスリップ率０％で転がり接触している点であるが、スリップ率が徐々に増大するに従い前後力Fxのマイナス成分が増大するとともに、横力Fyも徐々に低下する。そして、前述した前後力Fxのマイナス成分が最大となった点がブレーキの限界性能と考えられているが、従来タイヤ２では、このマイナス成分の最大値は−1.40ｋＮであった。ここで、前記従来タイヤ２を指数 100として、他のタイヤの最大値を表すと、実施タイヤ３、４、５、６、比較タイヤ２ではそれぞれ、 102.4、 102.8、 102.1、 103.1、98.5であり、実施タイヤではブレーキの限界性能が２〜３％向上していた。
【００５６】
次に、前述の各タイヤを排気量が 1000cm3(cc)であるスポーツタイプの二輪車に装着したが、ここで、前記各タイヤは前輪用のタイヤであるため、二輪車の前輪用タイヤのみ交換し、後輪用タイヤについては従来タイヤ２を使用した。次に、このような二輪車を用いて小雨の日にテストコース（終日安定した雨量であり、湿潤状態はほぼ均一）を限界に近い状態で４周だけ実車走行させて各周のラップタイムを測定した後、４周の平均ラップタイムを求めた。その結果は、従来タイヤ２、実施タイヤ３、４、５、６、比較タイヤ２ではそれぞれ 52.7秒、 51.7秒、 51.8秒、 51.4秒、 51.0秒、 53.3秒であり、実施タイヤではウエット性能が向上していた。
【００５７】
また、各タイヤの湿潤路面での操縦安定性を熟練したテストドライバーによって総合評価してもらった。その結果は、満点を１０点とすると、従来タイヤ２、実施タイヤ３、４、５、６、比較タイヤ２ではそれぞれ６点、８点、８点、８点、９点、４点であった。ここで、トレッド中央部のトレッドパターンは各タイヤとも同一であるため、前述の差はトレッド両端部における溝（傾斜部）の傾斜に起因するものと考えられる。
【００５８】
そして、ドライバーからは、比較タイヤ２は、直進時にブレーキを掛けたときにトレッドの弱さを感じる。倒しながらのブレーキにおいても限界が近いように感じたと、また、実施タイヤ３、４、５は、いずれもブレーキ性能が良いと感じられ、ブレーキを強く掛けることができる。ブレーキを掛けながら倒していけると、さらに、実施タイヤ６は、前記実施タイヤ３とほぼ同様であるが、これより少しグリップが高いと感じた。今回の中ではベストと、また、比較タイヤ２は、タイヤが弱い。グニョグニョ動く感じがあり、さらに濡れた路面で滑る。グリップが落ちたとのコメントがあった。
【産業上の利用可能性】
【００５９】
この発明は、二輪車用空気入りタイヤの産業分野に適用できる。
【図面の簡単な説明】
【００６０】
【図１】この発明の実施形態１を示す子午線断面図である。
【図２】トレッド部の展開平面図である。
【図３】図２のＩ−Ｉ矢視断面図である。
【図４】接地時における図３と同様の断面図である。
【図５】傾斜部の他の形態を示す図３と同様の断面図である。
【図６】この発明の実施形態２を示す子午線断面図である。
【図７】トレッド部の展開平面図である。
【図８】図７のII−II矢視断面図である。
【図９】傾斜部の他の形態を示す図８と同様の断面図である。
【図１０】傾斜部の他の形態を示す図８と同様の断面図である。
【図１１】傾斜部の他の形態を示す図８と同様の断面図である。
【図１２】スリップ率を変化させたときの測定結果を示すグラフである。
【符号の説明】
【００６１】
11…二輪車用空気入りタイヤ   13…トレッド部
29…トレッド端部             30、31…溝
32…傾斜部
【図１】
0004841215.tif 000002
【図２】
0004841215.tif 000003
【図３】
0004841215.tif 000004
【図４】
0004841215.tif 000005
【図５】
0004841215.tif 000006
【図６】
0004841215.tif 000007
【図７】
0004841215.tif 000008
【図８】
0004841215.tif 000009
【図９】
0004841215.tif 000010
【図１０】
0004841215.tif 000011
【図１１】
0004841215.tif 000012
【図１２】
0004841215.tif 000013